(57)【要約】      （修正有）【課題】プラグインハイブリッド車に適用する遠隔車両始動装置であって、充電状態の時でもエンジンを確実に始動させることができばかりでなく、エンジン始動後は、ユーザーによる誤発進や、ユーザー以外の者による盗車発進を防止することができる遠隔車両始動装置を提供すること。【解決手段】車両１０１の充電状態検出回路にリレースイッチ１０６（第一のリレースイッチ）を割り込ませて、遠隔操作により前記充電状態検出回路を開くことによりエンジンを始動させることができるようにする。エンジン始動後には前記回路を閉じて充電状態の時に走行可能状態にならないようにする。また、エンジンを始動させても、車両のパワー制御装置１０４と走行モード選択装置１０８の間に第二のリレースイッチ１０７を割り込ませて、走行モード選択信号の回路を開くことにより、ユーザー以外の者が車両を走行可能状態にまで状態遷移させることができないようにする。【選択図】図１
2014162280.tif 000002
【特許請求の範囲】
【請求項１】
リモコンと、当該リモコンからの信号を受信する受信回路及び前記受信回路からの信号に基づいて車両のエンジンの始動に必要な諸信号を、車両のパワー制御装置（エンジン制御装置）に与える制御回路を含む車両側装置（車載装置）と、からなる遠隔車両始動装置であって、
前記車両側装置（車載装置）は、少なくとも、
車両のエンジンの始動に関連させた、バッテリーへの充電状態検出回路を開閉するリレースイッチを備えた、プラグインハイブリッド車用の遠隔車両始動装置
【請求項２】
更に、車両のパワー制御装置へ走行モード選択信号を送る回路を開閉する第二のリレースイッチを備えた、請求項１記載のプラグインハイブリッド車用の遠隔車両始動装置。
【発明の詳細な説明】
【技術分野】
【０００１】
この発明は、停止している車両のエンジンを遠隔操作によって始動させる遠隔車両始動装置の改良に関するもので、特にプラグイン充電が可能なハイブリッド車の遠隔車両始動装置に関する。
【背景技術】
【０００２】
最近、商用外部電源からの充電が可能な、いわゆるプラグインハイブリッド車が増えつつあり、このような車両のエンジンを遠隔操作によって始動させる遠隔車両始動装置の商品化の要求も生じつつある。
【０００３】
ところが、前記のようなハイブリッド車に、従来の車両において一般的に使用されてきた遠隔車両始動装置をそのまま適用することはできない。
【０００４】
なぜなら、プラグインハイブリッド車においては、充電状態の時に、エンジンを始動させて車両を走行可能状態にした場合に、ユーザーが間違って走行開始してしまうと、外部電源に対して充電用接続器がつながったままであるので、充電用コードが引っ張られ、場合によっては引きちぎれてしまうことがある。
【０００５】
そこで、プラグインハイブリッド車においては、例えば特開平７−４６７１１号公報に示されているように、充電状態の時には、それを検知してモーターやエンジンが始動しないように安全措置が施してある。
【０００６】
したがって、プラグインハイブリッド車に従来のような遠隔車両始動装置、例えば、特開２００２−３９３２１６号公報や、特開２００４−２１１６４８号公報に示されているような遠隔車両始動装置を適用しても、エンジンを始動させて車両を走行可能状態にまで状態遷移をさせることができない。
【０００７】
また、仮に何らかの手段を用いて、プラグインハイブリッド車のエンジンを始動させることができたとしても、車両を走行可能状態にまで状態遷移させてしまうと、ユーザー以外の者による車両盗難の恐れがあるため、これについての対策も講じておかなければならない。
【先行技術文献】
【特許文献】
【０００８】
【特許文献１】特開平７−４６７１１号公報
【特許文献２】特開２００２−２９３２１６号公報
【特許文献３】特開２００４−２１１６４８号公報
【発明の概要】
【発明が解決しようとする課題】
【０００９】
本発明は、プラグインハイブリッド車に適用する遠隔車両始動装置であって、充電状態の時でもエンジンを確実に始動させることができばかりでなく、エンジン始動後は、ユーザーによる誤発進や、ユーザー以外の者による盗車発進を防止することができる遠隔車両始動装置を提供することを目的とする。
【課題を解決するための手段】
【００１０】
前記の課題を解決するため、本発明のプラグインハイブリッド車用の遠隔車両始動装置では、リモコンと、当該リモコンからの信号を受信する受信回路及び前記受信回路からの信号に基づいて車両のエンジンの始動に必要な諸信号を、車両のパワー制御装置（エンジン制御装置）に与える制御回路を含む車両側装置（車載装置）と、からなる遠隔車両始動装置であって、前記車両側装置（車載装置）は、少なくとも、車両のエンジンの始動に関連させた、バッテリーへの充電状態検出回路を開閉するリレースイッチ（第一のリレースイッチ）を備える。
【００１１】
更に、車両のパワー制御装置へ走行モード選択信号を送る回路を開閉する第二のリレースイッチを備えると良い。
【発明の効果】
【００１２】
前記のように、プラグインハイブリッド車においては、バッテリーへの充電状態の時には、それを検知してモーターやエンジンが始動しないように安全措置が施してあるから、充電状態検出回路にリレースイッチ（第一のリレースイッチ）を割り込ませて、遠隔操作により前記充電状態検出回路を開いてやれば、エンジンの始動に支障はなくなる。エンジン始動後に前記回路を閉じれば充電状態の時に走行可能状態になることはない。また、エンジンを始動させても、車両のパワー制御装置と走行モード選択装置の間に第二のリレースイッチを割り込ませて、走行モード選択信号の回路を開いてしまうので、所有者以外の者が車両を走行可能状態にまで状態遷移させることはできない。
【図面の簡単な説明】
【００１３】
【図１】プラグイン充電が可能な車両の内部構成のブロック図
【図２】遠隔車両始動装置のリモコンおよび車両側装置（車載装置）のブロック図
【発明を実施するための形態】
【００１４】
車両の充電状態検出回路に第一のリレースイッチ１０６を割り込ませて、遠隔操作により前記充電状態検出回路を開くことによりエンジンを始動させることができるようにする。エンジン始動後には前記回路を閉じて充電状態の時に走行可能状態にならないようにする。また、エンジンを始動させても、車両のパワー制御装置と走行モード選択装置の間に第二のリレースイッチ１０７を割り込ませて、走行モード選択信号の回路を開くことにより、ユーザー以外の者が車両を走行可能状態にまで状態遷移させることができないようにする。
【実施例１】
【００１５】
図１のように、車両１０１の外部充電接続器（コンセント側）１０２に外部電源の充電用接続器（プラグ側）１０３が接続されて充電状態になっている場合、まず、図２のリモコン２０１からの始動制御開始信号（無線信号）が受信回路２０２で受信できた場合、制御回路２０３からの信号により、前記外部充電接続器１０２から（パワー制御装置１０４に関連してエンジンやバッテリーに始動信号を送る）ハイブリッド制御装置１０５に充電用接続器１０３が接続されていることを知らせる接続検出信号を送る回路に割り込ませた第一のリレースイッチ１０６の開閉接点をOFFにする。前記第一のリレースイッチ１０６の開閉接点がONの状態にある場合には、充電用接続器１０３の車両１０１への接続が認識されている。しかし、前記のように、車両１０１内のハイブリッド制御装置１０５への入力信号を本装置にてカットしてしまうことで、車両１０１にとっては、物理的には充電用接続器１０３がつながっているが、車両１０１の内部検出による認識上の信号は、充電接続器１０３が接続されていない状態に切り替わる。このようにして、エンジンの始動が可能となる。
【００１６】
通常、車両のエンジンを始動させて走行可能状態にするためには、ユーザー認識が必要であるが、遠隔操作ではそれが行えないので、図２のように始動制御装置２０４を介してイモビ解除装置２０５を設置することで車両１０１との間で疑似通信させ、車両１０１をユーザー認識があった状態にさせる。これに続けて始動制御装置２０４からブレーキを踏む疑似信号とスタートスイッチを押す疑似信号を車両１０１に与えれば、車両は走行可能状態となる。
【００１７】
しかし、前述したように車両が走行可能状態となった場合に、仮にユーザーが乗り込んで走行モード（シフト・ポジション）を換えてしまうと、走り出してしまうこともあり危険であるので、そのようにならないために次のような制御を行う。
【００１８】
遠隔始動制御を始めるとき、第二のリレースイッチ１０７により、走行モード選択装置１０８からパワー制御装置１０４に対して走行モード選択信号を送る回路をOFFにすることにより、ユーザーやユーザー以外の者が走行モードをパーキング（P）以外に切り替えようとしても切り替えることができない。これは、車両のシフト切り替え信号が、機械的切り替えではなく、電気的信号だけで切り替えている車両だから可能である。
もちろん、遠隔操作により車両を始動させてから一定時間後に目的を果たして遠隔制御を止めた場合は、第一のリレースイッチ１０６、第二のリレースイッチ１０７共に接続をONに戻しておくようにする。
【００１９】
なお、バッテリーに対する充電量が車両の走行に不十分な状態にある場合は、遠隔操作によってエンジンを始動させても、走行可能状態にはならないから、充電量が車両の走行に不十分な状態にある信号をリモコンにフードバックさせて、一定の充電量に達するまではエンジンの遠隔始動ができないように構成することもできる。
【産業上の利用可能性】
【００２０】
プラグインタイプのハイブリッド車の遠隔始動装置として、広く利用可能である。
【符号の説明】
【００２１】
１０１：車両
１０２：外部充電接続器
１０３：充電用接続器
１０４：パワー制御装置
１０５：ハイブリッド制御装置
１０６：リレースイッチ
１０７：リレースイッチ
１０８：走行モード選択装置
２０１：リモコン
２０２：受信回路
２０３：制御回路
２０４：始動制御装置
２０５：イモビ解除装置
【図１】
2014162280.tif 000003
【図２】
2014162280.tif 000004